(57)【特許請求の範囲】
【請求項１】
集塵装置を配設する集塵室、この集塵室の下流側に設けられ電動送風機を囲んで形成された排気室、この排気室に連通して設けられ排気風を還流させる還流路、前記集塵室に連通するとともに前記還流路に連通する排気風路を有する接続口体を有した電気掃除機に備えられ、被掃除面との対向面に開口した吸込室を有するとともにこの吸込室に開口した吹出口を有する吹出風路が設けられた本体部、この本体部に取り付けられるとともに前記吸込室と前記集塵室とを連通させる吸込連通路および前記吹出風路と前記排気風路を連通させる排気連通路を有する接続管とから構成される電気掃除機の吸込口体において、
この吸込口体が被掃除面に接したときに前記開口側に移動して排気風を被掃除面に向ける吹付用風路を形成し、かつ、前記吸込口体が被掃除面から離されたとき前記吸込室内に没入し排気風を前記吸込室内に導く導入風路を形成する風路構成変更板を備え、
この風路構成変更板が、その前部に前記開口内に配置される変更板を有し、後部に被掃除面に接離するブラシ毛が取付けられていて、
前記風路構成変更板は、その前後方向中間部が前記本体部に回動可能に支持されているとともに、前記ブラシ毛が前記対向面から突出するようにコイルばねで付勢されており、
被掃除面で前記ブラシ毛が押された時に前記吹出口と対向して、前記開口の前端縁との間に前記吹付用風路を形成するとともに、前記吸込口体が前記被掃除面から離れた時に前記吹出口と対向しない位置に配置される吹出ガイド面を、前記風路構成変更板の変更板が有していることを特徴とする吸込口体。
【請求項２】
請求項１記載の発明における吹出ガイド面の上方端縁に、前記本体部の前記吸込室を形成する仕切壁との間の排気風の流通を防止する凸状縁を形成したことを特徴とする吸込口体。
【請求項３】
請求項１または請求項２記載の発明における風路構成変更板を、前記吸込室の開口の開口面積の略全領域に亘る面積としたことを特徴とする吸込口体。
【請求項４】
請求項１ないし請求項３記載の吸込口体を用いたことを特徴とする電気掃除機。
【発明の詳細な説明】
【０００１】
【発明の属する技術分野】
この発明は、電動送風機の駆動によって塵埃を含んだ吸込気流を吸込口体を介して吸込み集塵装置によって除塵する電気掃除機に関する。
【０００２】
【従来の技術】
従来、掃除機本体に設けた接続口体に吸込口体を接続して掃除をする電気掃除機は広く使用されている。そして、前記吸込口体は、被掃除面に対向する対向面（以下下面という）に開口した吸込室を有する本体部とこの本体部に取り付けられた接続管とから構成され、この接続管を前記掃除機本体の接続口体に接続されて使用されるものである。
【０００６】
また、電気掃除機の中には、電動送風機の吸引作用により塵埃を含んだ吸込気流を吸込口体から吸込み集塵装置によって除塵し、塵埃が除去された吸込気流を排気風として吸込口体に還流して被掃除面に吹き付け、被掃除面の内部（畳の目の中あるいは絨毯の毛足の中など）に存在する塵埃を吹出し吸込気流とともに吸引して被掃除面を掃除する形式の電気掃除機（以下循環式掃除機という）が知られている。
【０００７】
そして、上記循環式掃除機に用いられている排気風を吸込口体に還流して被掃除面に吹き付けるようにした吸込口体における排気風の被掃除面への吹き付け方としては、大別すると排気風を被掃除面に向けてつまり被掃除面に略直交する方向から吹き付ける方法と、被掃除面に平行に吹き付ける方法とがある。
【０００８】
そして、前者つまり排気風を被掃除面に向けて吹き付ける方法のものは、被掃除面の内部に存在する塵埃を効率よく吹出させることができるという利点はあるが、掃除中に吸込口体を持ち上げて被掃除面から離したとき、前記吹出す排気風によって被掃除面から吹出された塵埃が周囲に舞い上がってしまうという問題がある。
【０００９】
また、後者つまり被掃除面に平行に吹き付ける方法は、被掃除面の内部に存在する塵埃を効果的に吹出すという点で必ずしも満足できるものではない。
【００１１】
【発明が解決しようとする課題】
塵埃が除去された排気風を吸込口体に還流して被掃除面に吹き付けるようにした従来の吸込口体においては、排気風を被掃除面に向けて吹き付ける方法のものは、被掃除面の内部に存在する塵埃を効率よく吹出させることができるという利点はあるものの、掃除中に吸込口体を持ち上げて被掃除面から離したとき、前記吹出す排気風によって被掃除面か吹出された塵埃が周囲に舞い上がって不衛生となるという問題がある。
【００１２】
また、被掃除面に平行に吹き付ける方法のものは、被掃除面の内部に存在する塵埃を効果的に吹出すという点で必ずしも充分ではないという問題がある。
【００１５】
【課題を解決するための手段】
この発明は上記事情に鑑みてなされたもので、請求項１記載の発明は、集塵装置を配設する集塵室、この集塵室の下流側に設けられ電動送風機を囲んで形成された排気室、この排気室に連通して設けられ排気風を還流させる還流路、前記集塵室に連通するとともに前記還流路に連通する排気風路を有する接続口体を有した電気掃除機に備えられ、被掃除面との対向面に開口した吸込室を有するとともにこの吸込室に開口した吹出口を有する吹出風路が設けられた本体部、この本体部に取り付けられるとともに前記吸込室と前記集塵室とを連通させる吸込連通路および前記吹出風路と前記排気風路を連通させる排気連通路を有する接続管とから構成される電気掃除機の吸込口体において、
この吸込口体が被掃除面に接したときに前記開口側に移動して排気風を被掃除面に向ける吹付出用風路を形成し、かつ、前記吸込口体が被掃除面から離されたとき前記吸込室内に没入し排気風を前記吸込室内に導く導入風路を形成する風路構成変更板を備え、この風路構成変更板が、その前部に前記開口内に配置される変更板を有し、後部に被掃除面に接離するブラシ毛が取付けられていて、前記風路構成変更板は、その前後方向中間部が前記本体部に回動可能に支持されているとともに、前記ブラシ毛が前記対向面から突出するようにコイルばねで付勢されており、被掃除面で前記ブラシ毛が押された時に前記吹出口と対向して、前記開口の前端縁との間に前記吹付用風路を形成するとともに、前記吸込口体が前記被掃除面から離れた時に前記吹出口と対向しない位置に配置される吹出ガイド面を、前記風路構成変更板の変更板が有していることを特徴とするものである。
又、この請求項１の発明の実施において、この発明に従属する請求項２の発明のように、前記吹出ガイド面の上方端縁に、前記本体部の前記吸込室を形成する仕切壁との間の排気風の流通を防止する凸状縁を形成するとよい。
【００１６】
これら請求項１、２に記載の発明は、吸込口体を被掃除面に接して掃除をするとき前記風路構成変更板は開口側に移動して吹付用風路を形成し、排気風を被掃除面に向けるとともに前記対向面と被掃除面との間隙を小さくするため、被掃除面の塵埃を効率よく吹出すとともに吸込気流の流速を大きくして吸塵効率を高め、また、吸込口体を持ち上げて被掃除面から離したとき、風路構成変更板は吸込室内に没入して排気風を吸込室内に導く導入風路が形成され、排気風を被掃除面に吹き付けることなく吸込室に流入させて被掃除面の塵埃の吹き上げを防止できるという作用を有するものである。また、開口から吸込室への流路を大きくし流速を小さくし、吸込気流に起因する騒音を低下させることができるという作用を有するものである。
【００１７】
また、請求項３記載の発明は、請求項１または請求項２記載の発明における風路構成変更板を、前記吸込室の開口の開口面積の略全領域に亘る面積とした吸込口体としたものである。
【００１８】
このように請求項３記載の発明は、請求項１または請求項２記載の発明における風路構成変更板を、前記吸込室の開口の開口面積の略全領域に亘る面積としたことから、請求項１または請求項２記載の発明の作用に加えて、吸込口体を被掃除面に接して掃除をするとき風路構成変更板を含む吸込口体の対向面と被掃除面との対向領域は大きくなり、吸込口体の下面と対応する被掃除面の広い領域に亘って流速を高めることができる。したがって、さらに吸塵効率を高めることができるという作用を有するものである。
【００１９】
また、請求項４記載の発明は、請求項１ないし請求項３記載の吸込口体を用いた電気掃除機としたものである。
【００２０】
このように請求項４記載の発明は、請求項１ないし請求項３記載の吸込口体を用いた電気掃除機としたことから、効率よく吸塵できるとともに、被掃除面の塵埃が舞い上げられることなく衛生的に掃除ができ、また、低騒音の電気掃除機とすることができるという作用を有するものである。
【００２１】
【発明の実施の形態】
つぎに、この発明をハンディ式の循環式電気掃除機に適用した場合の実施の形態を図１ないし図１２に基づいて説明する。
【００２２】
図１は電気掃除機１の側面図であり、図２は電気掃除機（以下掃除機という）１の一部を除いて断面した断面図である。そして、図に示すように掃除機１には、後述する吸込口体７０が着脱可能に接続されている。
【００２３】
そして、前記掃除機１は、前後方向（なお、説明では後述する吸込口体７０が接続される側を前側といい、コードリール装置５０が配置される側を後側という。また、ハンドル４が設けられている側を上側という。）に沿う左右中心から左右方向に二分割された左右ケース３Ｌ、３Ｒを図示しない結合ねじによって結合することで構成される本体ケース３と、この本体ケース３内に配設される集塵装置３０、電動送風機４０、コードリール装置５０などから構成されている。
【００２４】
また、掃除機１の後側上部にはハンドル４が設けられており、このハンドル４の前側には電源スイッチ５が設けられている。
【００２５】
そして、前記左右ケース３Ｌ、３Ｒのそれぞれには、前側に前壁１１が形成され、また、この前壁１１に連続するとともに左右ケース３Ｌ、３Ｒの底壁３ａと略平行に、後部に設けられた隔壁１４に連続するように設けられた下側隔壁１２、本体ケース３に形成され前記ハンドル４の近傍で左右ケース３Ｌ、３Ｒの上壁３ｂと一体となる上側隔壁１３、前記前壁１１と後部隔壁１４との略中間部に位置して前記下側隔壁１２と上側隔壁１３に一体に形成された仕切壁１５が形成されており、これら前壁１１、下側隔壁１２、上側隔壁１３、後部隔壁１４および仕切壁１５は、それぞれ左右ケース３Ｌ、３Ｒを互いに合わせて結合したときは、その先端縁は互いに当接つまり接触するように形成されている。
【００２６】
このことによって、左右ケース３Ｌ、３Ｒを結合したときは図２に示すように、本体ケース３の前側には、左右ケース３Ｌ、３Ｒの側壁、前壁１１、下側隔壁１２、上側隔壁１３および仕切壁１５に囲まれた集塵室６が形成され、また、左右ケース３Ｌ、３Ｒの側壁、下側隔壁１２、上側隔壁１３および左右ケース３Ｌ、３Ｒの上壁３ｂ、後部隔壁１４および仕切壁１５に囲まれ前記集塵室６の下流側に位置して電動送風機室７が形成され、また、前記下側隔壁１２、左右ケース３Ｌ、３Ｒの底壁３ａ、後部隔壁１４によって囲まれた還流路８が形成されるものである。また、前記電動送風機室７の後方に位置して、前記後部隔壁１４、左右ケース３Ｌ、３Ｒの側壁および後壁１６、底壁３ａおよび上壁３ｂによって囲まれたコードリール室９が形成されている。
【００２７】
また、前記集塵室６の前側上部には開口６ａが形成されており、この開口６ａに蓋体１６が着脱可能に設けられており、前記開口６ａを介して前記集塵室６には後に詳述する前記集塵装置３０が出し入れできるようになっている。また、前記蓋体１６には前記開口６ａを閉蓋した際に開口６ａの口縁をシールするパッキング１６ａが取り付けられている。
【００２８】
また、前記仕切壁１５には開口１５ａが形成され、また、仕切壁１５の前部には小間隙Ｇを介して前記下側隔壁１２と上側隔壁１３とに支持枠１８が形成されており、この支持枠１８に支持されて前記開口１５ａに対応する領域に多数のスリット状の通気孔１９ａが形成されれるとともに図示しないフィルターが取り付けられたフィルター枠１９が取り付けられている。
【００２９】
また、前記前壁１１には、貫通孔１１ａが形成されるとともに、前記集塵室６の開口６ａ側を開放した略コ字状のガイド溝１１ｂが形成されており、そして、前記貫通孔１１ａには、ゴムなどの弾性部材からなるパッキング２０が取り付けられている。このパッキング２０は、内側を貫通孔２１としたリング状に形成されるとともに、図２に示すように軸方向中間部に外周壁に外側を開放した断面コ状の嵌合溝２０ａを有している。この嵌合溝２０ａを前記前壁１１の貫通孔１１ａの孔縁に嵌合させてパッキング２０が取り付けられるものであり、取り付けられた状態では前壁１１の両面側にシール面が位置するようなっている。
【００３０】
前記集塵装置３０は、紙袋などからなる集塵袋３１とこの集塵袋３１の開口に取り付けられるとともに、前記パッキング２０の貫通孔２１と対応する貫通孔３２ａが設けられた口枠３２とから構成されている。この集塵装置３０の集塵室６への取り付けは、前記蓋体１６を取り外し、ついで前記口枠３２の下側を前記ガイド溝１１ａに対応させた後、下方に向けて挿入することによってなされる。そして、口枠３２がガイド溝１１ａ内に挿入された状態では、口枠３２の外側つまりパッキング２０と対向する側の面はこのパッキング２０のシール面に圧接してシールされるようになっている。
【００３１】
つぎに、前記電動送風機室７に収納される電動送風機４０は、電動機４１、この電動機４１の回転軸（不図示）に取り付けられたファン（不図示）およびこのファンを覆うファンカバー４２ａからなるファン部４２から構成されている。なお、前記ファンカバー４２ａの前部には図示しないが前記仕切壁１５に形成した通気口１５ａに対応した吸気口（不図示）が形成されている。
【００３２】
そして、この電動送風機４０を前記電動送風機室７に収納する場合は、図２  に示すようにファンカバー４２ａの前部をゴムなど弾性部材からなる緩衝体４４を取付け、また、ファンカバー４２ａ側を開口４６ａとした有底筒状に形成され、底壁４６ｂに電動機４１の後部の膨出部（軸受を収納するハウジング部）４１ａを貫通させる貫通孔４６ｃが形成されたカバー４６を、前記貫通孔４６ｃに前記膨出部４１ａを挿入して前記開口４６ａを緩衝体４４の端部外周に嵌合させて取付け、また、電動機４１の後部の前記膨出部４１ａに同じく弾性部材からなる緩衝体４５を取付けて、電動送風機室７に収納されるものである。
【００３３】
そして、前記カバー４６、緩衝体４４および緩衝体４５によって囲まれた内部空間は排気室２５となっているものである。また、前記カバー４６の下側には前記下側隔壁１２に形成し貫通孔１２ａに対応する部位に還流孔４６ｄが形成されており、この還流孔４６ｄと前記貫通孔１２ａとは環状パッキング４７によって気密状態として連通されており、このことによって、排気室２５と前記還流路８とは連通しているものである。
【００３４】
また、前記コードリール室９に配設される前記コードリール装置５０は、巻枠５１、この巻枠５１に巻回されたコード５２、巻枠５１の内部に収納されコード５２を巻き込むように常時巻枠５１を付勢しているゼンマイばね（不図示）などによって構成されており、図示しない軸によって前記コードリール収納室９に配設されているものである。また、前記コード５２の先端部にはプラグ５３が接続されている。
【００３５】
なお、前記電動送風機４０、緩衝体４４、４５、カバー４６、コードリール装置５０、フィルター枠１９、パッキング２０、後述する接続口体６０などの本体ケース３内への組み込みは、これらを左右いずれか一方のケースに所定の状態に収納した後、他方のケースを合わせて配置し、ついで図示しない結合ねじによって左右両ケースを一体的に結合することによってなされるものである。
【００３６】
つぎに、前記本体ケース３の前記前部に取り付けられる接続口体６０について説明する。
【００３７】
この接続口体６０は、図2〜図4に示すように、円筒状に形成され前記集塵室６の前壁１１に形成した貫通孔１１ａを介して集塵室６連通する接続筒６１と、この接続筒６１の上流側端部に一体に形成された平板部６２、及びこの平板部６２の外周部に一体に形成され前記接続筒６１よりも径大な円筒壁６３からなる嵌合筒６４とから構成されている。そして、前記嵌合筒６４の前端部は前記本体ケース３の前部に位置しており、このことによって、前記嵌合筒６４の前側は本体ケース３の前部に開口するようになっている。
【００３８】
また、前記平板部６２には、図７などに示すように、前記還流路８に連通するとともに、長軸方向を平板部６２と同心として円弧状に形成した複数（この実施の形態では図７に示すように４  個）の排気風路を構成する互いに対向する一対の貫通孔６５と貫通孔６６が区画片６７ａ、６７ｂによって区画されて形成されている。
【００３９】
そして、前記一対の貫通孔６５は他の一対の貫通孔６６よりも周方向に長い孔として形成されるとともに、その周方向中間部には、外周縁を前記嵌合筒６４の内周壁と同一面とした導入領域６５ａが形成され、また、この導入領域６５ａの一方側に位置する貫通孔６５の外周縁は係止部６５ｂを構成している。
【００４０】
そして、この係止部６５ｂは排気風路である貫通孔６５の一部つまり外周縁を利用しているため、この係止部６５ｂを形成する必要がなく、したがって、構造を簡単とすることができるとともに、余分なスペースを必要としないことから接続口体６０が大型となることがないものである。
【００４１】
また、係止部６５ｂは塵埃が除去された排気風が流れる排気風路内つまり貫通孔６５内に設けられていることから塵埃が付着することがなく、塵埃の付着に起因して生じる後述する接続管９０の嵌合管１００の係合爪１０４との係合に不具合が発生することを防止できるものである。
【００４２】
また、前記両区画片６７ａの下側の面には、それぞれ図４および図７に示すようにクリック手段の一方およびストッパー手段の一方を形成する凸部６８が形成されている。そして、この凸部６８には図８に示すように後述する接続管９０つまり挿入管９１に設けた棒状突起９５の進入方向上流側に隆起部６８ａ、この隆起部６８ａの前記進入方向下流側に離間して形成した阻止壁６８ｂおよびこの阻止壁６８ｂと前記隆起部６８ａとの間に形成された凹部６８ｃが形成されており、前記隆起部６８ａと凹部６８ｃとはクリック手段の一方を、また、前記阻止壁６８ｂはストッパー手段の一方を構成しているものである。
【００４３】
また、前記接続筒６１の集塵室６側の先端部には、径小および径大なフランジ部６９ａおよび６９ｂによって形成された環状溝６９ｃが形成されており、この環状溝６９ｃには図２に示すように前記パッキング２０の環状リブ２０ｂが嵌合するようになっている。
【００４４】
また、前記嵌合筒６４の外周には環状リブ６９ｄが形成され、この環状リブ６９ｄは図２に示すように本体ケース３つまり左右ケース３Ｌ、３Ｒの先端部に形成した嵌合溝３ｃに嵌合するようになっているものである。
【００４５】
そして、この接続口体６０の本体ケース３への組み込みは、接続筒６１の先端部に前記パッキング２０を取り付け、ついでパッキング２０の環状溝２０ａおよび嵌合筒６４に形成した環状リブ６９ｄに、左右ケース３Ｌ、３Ｒのいずれか一方の前壁１１の開口１１ａの開口縁および嵌合溝３ｃに嵌合させ、ついでこの一方のケースに他方のケースを対応させるとともに、この他方のケースの前壁１１の開口１１ａの開口縁および嵌合溝３ｃをパッキング２０の環状溝２０ａおよび嵌合筒６４の環状リブ６９ｄに嵌合させて、締結ねじによって左右ケース３Ｌ、３Ｒを結合することにより本体ケース３に組み込まれるものである。
【００４６】
つぎに、吸込口体７０について説明する。
【００４７】
この吸込口体７０は、図２に示すように下面を開口７５とした吸込室７７を有するとともに、前記吸込室７７の開口７５に向けた吹出口７６ａを有する吹出風路７６を有する本体部７１と、この本体部７１に取り付けられ前記接続口体６０に挿入接続され前記集塵室６と前記吸込室７６とを連通させる挿入管９１、この挿入管９１の外周に形成され挿入管９１の外周壁とで排気連通路１０８を構成するとともに前記嵌合筒６４に嵌合接続される嵌合管１００とからなる接続管９０とから構成されている。
【００４８】
前記本体部７１は図５、図１０に示すように、上方からの投影を前部を略直線状とした略半円形状に形成されるとともに、図２、図１２に示すように、天井壁７２ａ、この天井壁７２ａの外周に下方に向けて一体に形成された前壁７２ｂ、後壁７３ｍ（図１０参照）、左右側壁７３ｎ（図１０参照）からなる周壁によって有底箱状に形成された上部ケース７２と、底壁７３ａ、前壁７３ｂ、後壁(不図示)、左右側壁（不図示）からなる周壁によって有底箱状に形成された下部ケース７３とからなる本体ケース７４とを備えて構成されている。
【００４９】
そして、前記下部ケース７３の底壁７３ａには、図１０に示すように左右方向つまり長手方向に沿って開口７５が形成されており、この開口７５は図１０に示すように中央部を後方に向けてコ字状に切り欠いて左右よりも拡大した拡大開口部７５ａとなっている。また、図２、図１２に示すようにこの開口７５の上方に位置して断面逆Ｌ字状の仕切壁７３ｃが形成されている。
【００５０】
また、図５に示すように左右方向中間部には上方を開放した半円形に切り欠いて形成した切欠部７３ｄが形成されており、この切欠部７３ｄの周縁部には図５に示すように係合リブ７３ｅが形成されている。また、前記底壁７３ａの前記開口７５の後方側近傍領域は、後述する接続管９０の筒状軸部９２の回転中心Ｏを中心として円弧面としたガイド面７３ｆが形成され、この円弧面７３ｆの先端縁には規制凸縁７３ｇが形成されている。
【００５１】
また、下部ケース７３の下面には図１０に示すように左右両側と後側にはブラシ毛７３ｈが設けられている。
【００５２】
また、前記下部ケース７３の底壁７３ａの後部側には下側を開放した凹溝７３ｉが形成されており、また、左右両側と後側中央部には後述する風路構成変更板８０の連結片８４が回動する際に干渉しないように連結片８４の形状に合わせた貫通孔７３ｋが形成されている。
【００５３】
前記上部ケース７２には図２、図１２に示すように、前後方向略中間部に下方に垂下した垂下隔壁７２ｃが左右方向つまり図２における紙面と直交する方向に沿って形成されている。この垂下隔壁７２ｃの先端は上部ケース７２と下部ケース７３とが結合ねじ１１０（図１０参照）によって結合された状態では、図２、図１２に示すように前記仕切壁７３ｃに当接するようになっている。このことによって、本体ケース７１内には図２に示すように、仕切壁７３ｃと上部ケース７２の天井壁７２ａ、前壁７２ｂ、下部ケース７３の前壁７３ｂ、底壁７３ａおよび左右側壁によって前記吹出風路７６が形成され、また、前記垂下隔壁７２ｃ、仕切壁７３ｃ、下部ケース７３の底壁７３ａおよび左右側壁によって吸込室７７が形成されるものである。
【００５４】
そして、前記吸込室７７の被掃除面Ｆ側は前記開口７５となっており、また、前記吹出風路７６の吹出口７６ａは吸込室７７の前記開口７５の近傍位置に設けられている。
【００５５】
また、上部ケース７２には図示しないが左右方向中間部に前記下部ケース７３に形成した切欠部７３ｄに対応した下方を開放した半円形に切り欠いて形成した切欠部が形成されており、この切欠部の周縁部には同様に係合リブが形成されている。また、前記上部ケース７２の天井壁７２ａの前記切欠部近傍領域は、後述する接続管９０の筒状軸部９２の回転中心Ｏを中心として円弧面としたガイド面７２ｄが形成され、この円弧面７２ｄの先端縁には規制凸縁７２ｅが形成されている。
【００５６】
つぎに、風路構成変更板８０について説明する。この風路構成変更板８０は、図１１、図１２などに示すように、前部に前記開口７５の略全領域に対応するとともに上下動する変更板８１、後部にブラシ毛８２を設けた台片８３、この台片８３と前記変更板８１の両端部のそれぞれを一体に連結している連結片８４から構成されて、枠体状に形成されている。
【００５７】
そして、前記変更板８１は図１１、図１２に示すように、開口７５の略全領域を占める形状つまり開口７５より僅かに小さく形成されており、また、図１２に示すように前側には左右方向に沿うとともに下方に向かうにしたがって後方に傾斜させた吹出ガイド面８１ａが形成されている。この吹出ガイド面８１ａの上方端縁には、前記仕切壁７３ｃとの間からの排気風の流入を防止する凸条縁８１ｂが形成されている。
【００５８】
また、変更板８１の開口７５と対向するつまり被掃除面Ｆと対向する面は吸込ガイド面８１ｃとなっており、この吸込ガイド面８１ｃの前側は平坦面８１ｄに、また、後側は後端に向かうにつれて吸込室７７側に入り込む円弧面８１ｅに形成されている。
【００５９】
また、前記両連結片８４の前後方向略中間部には、軸８５が設けられており、この両軸８５は図１０に示すように前記下部ケース７３の内側両側壁に設けた軸受７８に軸支されており、また、前記風路構成変更板８０は図１２に示すようにコイルばねＳによって、前記台片８３のブラシ毛８２を常時前記凹溝７３ｉから突出するように付勢されている。
【００６０】
つまり、前記風路構成変更板８０は、前記本体部７１に取り付けられた状態では、前記軸受７８に軸支された軸８５を回動支点として回動可能に支持されるとともに、前記コイルばねＳによって台片８３のブラシ毛８２が常時下方に突出するように付勢されているものである。したがって、掃除の際に吸込口体７０を被掃除面Ｆを走行させるようにした場合は、前記台片８３のブラシ毛８２が被掃除面Ｆによって押圧されるため、風路構成変更板８０は軸８５を中心として図２、図１２において時計方向に回動し、前記変更板８１の吹出ガイド面８１ａは吹出口７６ａに対向し、前記吹出ガイド面８１ａと開口７５の前端縁７５ｂとによって矢印で示す吹付用風路Ｆ１が形成され、また、吸込ガイド面８１ｃは開口７５の略全領域を覆うように対向して被掃除面Ｆとの間には狭小な間隙Ｇ１が形成されるようになっている。
【００６１】
このことによって、前記吹出風路７６の吹出口７６ａから吹出された排気風は前記吹付用風路Ｆ１を形成する吹出ガイド面８１ａによって下向きつまり被掃除面Ｆに向けて案内されて被掃除面Ｆに吹き付けられ、この排気風によって被掃除面に存在する塵埃は吹出される。そして、この吹出された塵埃は前記吸込ガイド面８１ｃと被掃除面Ｆとの間に形成される前記間隙Ｇ１を通って吸込まれる吸込気流とともに吸込室７７に吸込まれる。
【００６２】
なお、吸込口体７０を被掃除面Ｆに摺接させているときは、前記ブラシ毛８２は被掃除面Ｆに接触しているため、吸込口体７０の後方から流入する吸込気流が遮蔽される。このため、前方からの吸引力が大きくなり吸塵効率が高められるようになっている。
【００６３】
また、前記吸込ガイド面８１ｃと被掃除面Ｆとの間に形成される前記間隙Ｇ１は、狭小であることからこの間隙Ｇ１を流れる吸込気流の流速は高められるため、被掃除面Ｆに存在する塵埃の吸塵力は高められるものである。
【００６４】
吸込口体７０を被掃除面Ｆから離すと、ブラシ毛８２の被掃除面からの押圧が解除されることから、風路構成変更板８０は軸８５を中心として図２、図１２において反時計方向に回動し、変更板８１は吸込室７７内に没入し図２、図１２に二点鎖線で示す位置に位置される。このときは吹出しガイド面８１ａは吹出口７６ａと対向しないことになる。つまり変更板８１の吸込室７７内への没入によって、吸込ガイド面８１ｃによって導入風路Ｆ２が形成され、吹出口７６ａから吹出された排気風は導入風路Ｆ２を通って吸込室７７に流れ込む。そして、この吹出口７６ａ吹出された排気風は、吸込気流として吸込まれることから、被掃除面Ｆ方向つまり開口７５から外部にほとんど吹出されることはない。
【００６５】
したがって、掃除中に吸込口体７０を持ち上げたときは、吹出口７６ａから吹出された排気風は導入風路Ｆ２を通って吸込室７７に流れ込み被掃除面Ｆにはほとんど吹き付けられることはなく、被掃除面Ｆに存在する塵埃が吹き上げられて舞い上がることはないものである。
【００６６】
吸込口体７０を持ち上げると風路構成変更板８０は、吸込室７７内に没入して図２、図１２に二点鎖線で示す位置に位置される。このときは、図に示すように変更板８０は開口７５から上方に離れるとともに、開口７５の後端縁７５ａと変更板８０の吸込ガイド面８１ｃの円弧面８１ｅとの間隙（この間隙は開口７５から吸込室７７への流路を構成しているものである）は広がる。このため、この間隙を通る吸込気流の流速は小さくなることから、この吸込気流に起因する騒音を低減させることができるものである。
【００６７】
つぎに、前記接続管９０について説明する。
【００６８】
この接続管９０は、上記したように前記接続口体６０に挿入接続される挿入管９１とこの挿入管９１に一体に設けられ前記嵌合筒６４に嵌合接続される嵌合管１００から構成されている。なお、挿入管９１の内部は前記集塵室６と前記吸込室７７とを連通させる吸込連通路９１ａを構成しているものである。
【００６９】
そして、前記挿入管９１の先端部には図３、図５および図９に示すように、軸方向と直交する方向の両側に突設した筒状軸部９２が形成され、また、この両筒状軸部９２の先端部外周には図５、図９に示すように嵌合溝９３が形成されており、この嵌合溝９３には前記上部ケース７１と下部ケース７３を結合する際にケース７２の切欠部に形成した係合リブ（不図示）および下部ケース７３に形成した前記切欠部７３ｄに形成した係合リブ７３ｅが嵌合するものであり、嵌合した状態で回動可能となっているものである。
【００７０】
また、筒状軸部９２の上側および下側の先端部には、前記上部ケース７２に形成したガイド面７２ｄおよび下部ケース７３形成したガイド面７３ｆに摺動する摺動凸縁９６ａおよび９６ｂが形成されている。また、これら摺動凸縁９６ａおよび９６ｂは前記上部ケース７２に形成された規制凸縁７２ｅおよび下部ケース７３に形成された規制凸縁７３ｇによって所定以上の回動が規制されるようになっている。
【００７１】
また、前記筒状軸部９２の内部は排気風路の一部を構成するように孔９２ａが形成されている。この孔９２ａは前記上部ケース７２と下部ケース７３を結合して本体ケース７４を形成した際にこの本体ケース７３の内部に形成される吹出風路７６に連通しているものである。
【００７２】
また、挿入管９１の外周には、図４に示すように接続筒６１内に所定の状態に挿入され際に、前記嵌合筒６４の区画片６７ａの裏面側に形成した凸部６８の凹部６８に係合する関係位置にクリック手段の他方を構成する棒状突起９５が形成されている。
【００７３】
つぎに、前記嵌合管１００は図２ないし図６に示すように、前記挿入管９１の先端部つまり筒状軸部９２の近傍に挿入管９１の外周壁に一体に形成した底壁１０１とこの底壁１０１に一体に形成され前記挿入管９１の外径よりも径大でかつ後端側を開口１０３とした筒部１０２とから構成されており、そして、この筒部１０２と前記挿入管９１との間には排気連通路１０８が形成されているものである。
【００７４】
また、前記筒部１０１の開口１０３の近傍外周には図３、図４および図６に示すように、互いに対向する位置に係合部としての係合爪１０４が形成されており、この係合爪１０４は前記接続口体６０の嵌合管６４に形成した係止部６５ｂに係合するものである。また、この両係合爪１０４の外周を通る直径は前記嵌合筒６４の内周より僅かに小さく設定されており、したがって、前記筒部１０２を前記嵌合管６４内に所定の対応位置として挿入すると、係合爪１０４は図７に二点鎖線で示すように嵌合管６４に形成した貫通孔６５の導入領域６５ａを通過して貫通孔６５を貫通する。なお、このとき前記挿入管９１に形成した棒状突起９５は同様に二点鎖線で示した位置に位置する。そして、貫通した状態では係合爪１０４は、係止部６５ｂと係合できる関係となり、この状態で図７の矢印方向に係合爪１０４を移動させ一点鎖線で示す位置に位置したとき、図４に示すように係合爪１０４は係止部６５ｂと係合し、接続管９０は軸方向への抜け止めがされるものである。また、このとき前記棒状突起９５は前記嵌合管６４に設けた突起６８の隆起部６８ａを乗り越えて凹部６８ｂに入り込み挿入管９１つまり接続管９０の回り止めがされるものである。また、棒状突起９５が隆起部６８ａを乗り越える際にクリック作用が生じ、接続管９０が所定の状態にまで回動したかどうかを認識できるものであり、また、この回動させる際に棒状突起９５は阻止壁６８ｂに当接し所定以上の回動が防止される。
【００７５】
また、前記接続管９０を吸込口体７０に対して取り付ける際、つまり嵌合管１００と嵌合筒６４とを所定の位置関係を目視で確認できるように、図１に示すように本体ケース３の前部外周面に「開」の文字とともにマークＭ１および「閉」の文字とともにマークＭ２が付されており、また、嵌合管１００の外周面には三角状のマークＭ３が付されている。
【００７６】
そして、前記嵌合管１００のマークＭ３を本体ケース３のマークＭ１に対応させたときは、前記係合爪１０４は前記嵌合筒６４に形成した貫通孔６５の導入領域６５ａに対応した状態となるように設定されており、この状態では係合爪１０４と嵌合筒６４に設けた係止部６５ｂとは非係合関係となっていることから、嵌合管１００は嵌合筒６４に対して抜き差しできるものである。
【００７７】
また、嵌合管１００のマークＭ３を本体ケース３のマークＭ１に対応させて嵌合管１００を差込みついで係合爪１０４を前記係止部６５ｂに係合させるように回動させ、マークＭ３をマークＭ２に対応させた状態では係合爪１０４は係止部６５ｂに係合し、また、棒状突起９５は凸部６８の凹部６８ｃに嵌まり込むように設定されているものである。
【００７８】
また、図４に示すように嵌合管１００の底壁１０１には図５に示すように、前記筒状軸部９２の排気風路の一部である孔９２ａに連通する連通孔１０２ａが形成されており、また、嵌合管１００を前記嵌合筒６４に嵌合した状態では、嵌合管１００の前記開口１０３は前記嵌合筒６４に形成した貫通孔６５および６６と連通するようになっている。
【００７９】
嵌合管１００の筒部１０２の外周部には、環状の収納溝１０５が形成されており、この収納溝１０５には環状にシールパッキング１０６が嵌め込まれている。このシールパッキング１０６は、嵌合筒６４に嵌合管１００を嵌合した際に、嵌合筒６４の内周面と接触して外部からの空気の流入を防止するものである。
【００８０】
また、嵌合管１００の外周には環状の突当部１０７が形成されており、この突当部１０７は前記嵌合筒６４の先端部に当接しそれ以上の挿入つまり差込を規制するように機能するとともに、前記当接した状態で接続管９０を回動したとき前記係合爪１０４と前記係止部６５ｂとを係合可能な位置関係とするように機能するものである。
【００８１】
そして、前記接続管９０を本体部７１への組み込みつまり吸込口体７０の組立は、下部ケース７３に設けた軸受７８に連結片８４に設けた軸８５を嵌合して風路構成変更板８０を取り付け、ついで、この下部ケース７３の切欠部７３ｄの係止リブ７３ｅに接続管９０の筒状軸部９２の係合溝９３を嵌め込み、ついで上部ケース７２を下部ケース７３に合わせるように対応させるとともに、上部ケース７２の前記図示しない切欠部の係合リブを嵌め込み、上部ケース７２と下部ケース７３を結合ねじ１１０によって一体に結合することによりなされるものである。
【００８２】
そして、接続管９０を本体部７１に組み込み吸込口体７０として組み立てられた状態では、上述したように、本体部７１の内部の上部には吹出風路７６が形成され、また、下部には吸込室７７が形成される。また、風路構成変更板８０が下部ケース７３の下側つまり被掃除面Ｆ側に軸８５を回動支点として回動可能に配設されているものである。また、接続管９０は前記筒状軸部９２を回動支点として本体部７１に対して上下方向に所定の角度回動可能となっているものである。
【００８３】
掃除機１の接続口体６０に吸込口体７０を取り付ける場合は、挿入管９１の先端部から接続口体６０の接続筒６１に、また、嵌合管１００を嵌合筒６４に対応させるとともに、嵌合管１００のマークＭ３を本体ケース３のマークＭ１に対応させて突当部１０７が嵌合筒６４の先端部に当接するまで挿入つまり差し込む。ついで、嵌合管１００を前記マークＭ３がマークＭ２に対応するまで回動する。
【００８４】
前記マークＭ３がマークＭ２に対応するまで回動されると、前記嵌合管１００の係合爪１０４は嵌合筒６４の係合部６５ｂに係合する。また、前記回動の過程で棒状突起９５は隆起部６８ａを乗り越えて凹部６８ｃに嵌まり込む。そして、この嵌まり込む際にクリック感が生じ、操作者はこのクリック感によって接続管９０つまり吸込口体７０が接続口体６０に接続されたことを認識できるものである。
【００８５】
また、接続した状態では係止部６５ｂと係合爪１０４の係合により軸方向への抜止が確実にされるとともに、周方向には前記凹部６８ｃと棒状突起９５からなるストッパー手段によって確実に回り止めされて接続状態が維持されるものである。つぎに、前記接続された状態から吸込口体７０を取外す場合は、接続する場合と逆に操作すればよい。
【００８６】
つぎに、上記掃除機１における掃除の際の動作を図２を参照して説明する。
【００８７】
掃除をする場合は掃除機１に吸込口体７０を接続し、電源スイッチ５を閉成し電動送風機４０を駆動し、ハンドル４を把持し下部ケース７３の下面に設けたブラシ毛７３ｈつまり吸込口体７０の下面を被掃除面Ｆに摺接させつつ前後方向に移動させて掃除をするものである。
【００８８】
そして、吸込口体７０を被掃除面Ｆに摺接させる状態では、前記風路構成変更板８０のブラシ毛８２の先端は被掃除面Ｆによって押圧されることから、風路構成変更板８０は軸８５を中心として図２おいて時計方向に回転して変更板８１は二点鎖線で示す位置から実線で示す位置に移動する。つまり変更板８１の吹出ガイド面８１ａは吹出口７６ａに対向し前記吹付用風路Ｆ１が形成され、また、吸込ガイド面８１ｃは開口７５の略全領域に対応し被掃除面Ｆとの間に間隙Ｇ１が形成される。
【００８９】
つぎに、電動送風機４０が駆動されると集塵室６は負圧となり、この負圧によって、図２の矢印ａに示すように吸込口体７０の開口７５に対応した吸込ガイド面８１ｃと対応した被掃除面Ｆとの間に形成される間隙Ｇ１、吸込室７７、吸込連通路９１ａを経て集塵室６に吸込まれる吸込気流とともに、被掃除面Ｆに存在する塵埃は吸込まれる。そして、集塵装置３０によって塵埃は捕捉され、塵埃が除去された吸込気流は排気風として排気室２５内に排気される。ついで、矢印ｂに示すように本体ケース３に形成した還流路８、接続口体６０に形成した貫通孔６５および６６、嵌合管１００の排気連通路１０８、筒状軸部９２の孔９２ａを経て本体部７１内に形成した吹出風路７６に還流され、吹出口７６ａから吹出される。この吹出された排気風は前記吹付用風路Ｆ１によって下側に向けられ被掃除面Ｆに吹き付けられる。
【００９０】
そして、吹出口７６ａから吹出された排気風は、前記変更板８１の吹出ガイド面８１ａと開口７５の前側縁７５ｂとで形成された間隙が狭くなっている吹付用風路Ｆ１によって流速は大きくなっているため、吹き付けられる排気風によって被掃除面Ｆ（例えば畳の目の中、あるいは絨毯の毛足の中など）に存在する塵埃は効率よく吹出され、この吹出された塵埃は再び前記吸込気流とともに吸込まれる。したがって、被掃除面Ｆに存在する塵埃は効率よくかつ確実に吸込まれるものである。
【００９１】
また、掃除中に吸込口体７０を持ち上げて被掃除面Ｆから離したときは、前記風路構成変更板８０は、ブラシ毛８２の被掃除面Ｆからの押圧が解除され、前記コイルばねＳの付勢力によって図２において反時計方向に回転し、変更板８１は図２、１２の二点鎖線で示す位置に位置し、導入風路Ｆ２が形成される。
【００９２】
この状態では、前記吹出ガイド面８１ａは吹出口７６ａに対応しないことから吹出風路７６の吹出口７６ａから吹出された排気風は、導入風路Ｆ２を通って吸込室７７に吸込まれるため、被掃除面Ｆには吹き付けられない。したがって、被掃除面Ｆに存在する塵埃は前記排気風によって吹き上げられることはない。つまり吸込口体７０を被掃除面Ｆから離したときは、開口７５から塵埃は吸込まれない状態となり、この時排気風は被掃除面Ｆに吹き付けられないことから、排気風によって被掃除面Ｆの塵埃は吹き上げられない。このため、衛生的である。
【００９３】
以上説明したように上記吸込口体７０は、前記吸込室７７内の開口７５に対応させて、吸込口体７０を被掃除面Ｆに接したときに前記開口７５側に移動して吹出口７６ａから吹出す排気風を被掃除面Ｆに向ける吹付用風路Ｆ１を形成し、被掃除面Ｆから離したとき吸込室７７内に没入し排気風を吸込室７７内に向ける導入風路Ｆ２を形成する風路構成変更板８０を設けている。このことから、吸込口体７０の被掃除面Ｆとの対向面つまり下面を被掃除面Ｆに接して掃除をするとき、前記風路構成変更板８０は開口７５側に移動して、吹出口７６ａから吹出す排気風を被掃除面Ｆに向けるとともに、前記下面つまり風路構成変更板８０の吸込ガイド面８１ｃと被掃除面Ｆとの間隙Ｇ１を小さくする。このため、被掃除面Ｆの塵埃を効率よく吹出すとともに吸込気流の流速を大きくして吸塵効率を高めることができるものである。
【００９４】
また、吸込口体７０を持ち上げて前記下面を被掃除面Ｆから離したとき、風路構成変更板８０は吸込室７７内に没入し導入風路Ｆ２が形成され、吹出口７６ａから吹出す排気風は導入風路Ｆ２により吸込室７７に導かれ、被掃除面Ｆに吹き付けられることなく吸込室７７に流入するため、被掃除面Ｆの塵埃の吹き上げを防止できることから衛生的に掃除をなすことができるものである。また、吸込口体７０を持ち上げたときは開口７５から吸込室７７への流路は大きくなることから、吸込気流に起因する騒音を低下させることができるものである。
【００９５】
また、風路構成変更板８０を、前記吸込室７７の開口７５の開口の略全領域に亘る面積とした形状としたことから、吸込口体７０の下面を被掃除面Ｆに接して掃除をするとき前記風路構成変更板８０の面積が大きいことから、風路構成変更板８０を含む吸込口体７０被掃除面Ｆと対向する対向面つまり下面と被掃除面Ｆとの対向領域は大きくなり、吸込口体７０の下面と対応する被掃除面Ｆの広い領域に亘って流速を高めることができ、さらに吸塵効率を高めるとことができるものである。
【００９６】
また、このように構成した吸込口体７０を掃除機１に用いることにより、効率よく吸塵できるとともに、被掃除面の塵埃が舞い上げられることなく衛生的にかつ低騒音の下で掃除ができるものである。
【００９７】
なお、上記実施の形態においては、掃除機１をハンディ式の電気掃除機としたが、これはハンディ式に限られるものではなく、接続口体６０に吸込ホースを接続して使用する走行式の電気掃除機としてもよいものである。この場合は吸込ホースを吸込風路と排気風路を設けた吸込ホースを使用することは勿論のことである。
【００９９】
また、上記実施の形態においては、風路構成変更板８０は台部８３、変更板８１および台部８３と変更板８１を連結する連結片８４とからなる枠体状とする構成としたが、これはこのような構成に限定されるものではなく、例えば、開口７５に対応する変更板のみとし、この変更板を付勢手段により常時吸込室７７内に没入させる方向に付勢しておき、吸込口体７０が被掃除面Ｆに接したときに前記変更板を下方に移動させる移動手段を設ける構成としてもよいものである。なお、この場合の移動手段としては、例えば、中間部を回動可能に軸支された作動片を本体部７１内に設け、この作動片の一端部を吸込口体７０の下面から下方に突出させるとともに他端部を変更板に裏面つまり開口７５と反対側の面に当接させる構成とし、吸込口体７０の下面を被掃除面Ｆに置いたとき前記作動片の一端部を被掃除面Ｆに上方に押し上げ、軸を支点に他端部を下方に移動させて変更板を被掃除面Ｆ側に移動させるようにすればよい。
【０１００】
また、上記実施の形態においては、風路構成変更板８０の変更板８１の移動を、台部８３の設けた被掃除面Ｆと接離するブラシ毛８２とコイルばねＳによってさせる構成としたが、これは被掃除面Ｆに接したときに動作するセンサーを設け、このセンサーの出力により電磁石のプランジャーを動作させ、このプランジャーに動作によって連結片８４に設けた軸８５を支点として回動させて吸込室７７内に風路構成変更板８０の変更板８１を移動させるように構成してもよい。
【０１０１】
なお、上記実施の形態においては、排気室２５を電動機送風機４０を囲むカバー４６によって形成したが、これはカバー４６を設けることなく電動送風機室７によって構成するようにしてもよいものである。
【０１０３】
【発明の効果】
請求項１、２に記載の発明によれば、吸込口体を被掃除面に接して掃除をするとき風路構成変更板は開口側に移動して吹付用風路を形成し、排気風を被掃除面に向けるとともに対向面と被掃除面との間隙を小さくするため、被掃除面の塵埃を効率よく吹出すとともに吸込気流の流速を大きくして吸塵効率を高め、また、吸込口体を持ち上げて被掃除面から離したとき、風路構成変更板は吸込室内に没入して排気風を吸込室に導く導入風路が形成され、排気風を被掃除面に吹き付けることなく吸込室に流入させて被掃除面の塵埃の吹き上げを防止できるという効果を有するものである。また、開口から吸込室への流路を大きくし流速を小さくし、吸込気流に起因する騒音を低下させることができるという効果を有するものである。
【０１０４】
また、請求項３記載の発明は、請求項１または請求項２記載の発明における風路構成変更板を、前記吸込室の開口の開口面積の略全領域に亘る面積としたことから、風路構成変更板を含む吸込口体の対向面と被掃除面との対向領域は大きくなり、吸込口体の下面と対応する被掃除面の広い領域に亘って流速を高めることができ、したがって、さらに吸塵効率を高めることができるという効果を有するものである。
【０１０５】
また、請求項４記載の発明は、請求項１ないし請求項３記載の吸込口体を用いた電気掃除機としたことから、効率よく吸塵できるとともに、被掃除面の塵埃が舞い上げられることなく衛生的に掃除ができ、また、低騒音の電気掃除機とすることができるという効果を有するものである。
【図面の簡単な説明】
【図１】本発明の実施の形態のハンデー式の電気掃除機の側面図。
【図２】上記電気掃除機の要部を断面した側断面図。
【図３】上記実施の形態の接続口体に接続管を挿入して取り付けた状態を示す側面図。
【図４】上記実施の形態の接続口体に接続管を挿入して取り付けた状態を示す側断面図。
【図５】上記実施の形態の吸込口体の接続管と本体部の取付関係を示す図。
【図６】上記実施の形態の接続管を挿入管側からみた図。
【図７】上記実施の形態の接続口体を接続筒側からみた図。
【図８】上記実施の形態の接続口体に設けた凸部（クリック手段の一方側およびストッパー手段の一方側）の断面図（図７の矢印方向での断面）。
【図９】上記実施の形態の接続管の断面図（図３のＢ−Ｂ線での断面図）
【図１０】上記実施の形態の吸込口体を下側からみた図。
【図１１】上記実施の形態の吸込口体の風路構成変更板を下側からみた斜視図。
【図１２】上記実施の形態の吸込口体の要部を拡大した図。
【符号の説明】
１            電気掃除機
６            集塵室
７            電動送風機室
８            還流路
２５          排気室
３０          集塵装置
４０          電動送風機
６０          接続口体
６５、６６    貫通孔（排気風路）
７０          吸込口体
７１          本体部
７３          仕切壁
７５          吸込室の開口
７５ａ        開口の前端縁
７６          吹出風路
７６ａ        吹出口
７７          吸込室
７８          軸受
８０          風路構成変更板
８１          変更板
８１ａ        吹出ガイド面
８１ｂ        凸状縁
８１ｃ        吸込ガイド面
８２          ブラシ毛
８３          台片
８４          連結片
８５          軸
９０          接続管
９１ａ        吸込連通路
１０８        排気連通路
１０４        係合爪（係合部）
Ｆ１          吹付用風路
Ｆ２          導入風路
Ｓ            コイルばね
【図１】
0003542283.tif 000002
【図２】
0003542283.tif 000003
【図３】
0003542283.tif 000004
【図４】
0003542283.tif 000005
【図５】
0003542283.tif 000006
【図６】
0003542283.tif 000007
【図７】
0003542283.tif 000008
【図８】
0003542283.tif 000009
【図９】
0003542283.tif 000010
【図１０】
0003542283.tif 000011
【図１１】
0003542283.tif 000012
【図１２】
0003542283.tif 000013